(57)【要約】      （修正有） 【課題】雨天の際の電車やバスでの着席時に、持参している雨傘の保持を確実に行える鞄用防水カバーを提供する。【解決手段】防水材料製の鞄用防水カバー１５の底部及び／又は側部に、面接着ファスナー製の雨傘保持部材２３、２４、２５、２６を形成する。この防水カバーを鞄に被せると、自動的に雨傘保持部材が、鞄と一体不可分に構成される。従って、単一の物品である鞄用防水カバーを、鞄に被せるという単一の操作で、鞄の防水と雨傘の保持という両機能を実現できる。【選択図】図２
0003165770.tif 000002
【実用新案登録請求の範囲】
【請求項１】
鞄を被う、防水材料製の鞄用防水カバーであって、
当該カバーの底部及び／又は側部に、雨傘保持部材を固着形成し、かつ上部に鞄の把持部用の開口部を有することを特徴とする雨傘保持兼用鞄用防水カバー。
【請求項２】
鞄を被う、防水材料製の鞄用防水カバーであって、
当該カバーの底部及び／又は側部に、雨傘保持部材を固着形成し、かつ上部に鞄の把持部を覆う袋体を有することを特徴とする雨傘保持兼用鞄用防水カバー。
【考案の詳細な説明】
【技術分野】
【０００１】
本考案は、雨天時に使用可能な鞄用カバーに関し、より詳細には、雨天時に必須である傘を保持できる係止部を有し、この係止部に傘を係止することにより、例えば電車やバスなどの着席時あるいは屋内歩行時などに、使用者の保持の意図の有無に拘らず、前記傘を自動的に保持できる鞄用防水カバーに関する。
【背景技術】
【０００２】
雨天時に鞄を携帯して、外出する際に、鞄に、防水機能を有する鞄用カバーを被せ、鞄の濡れを防止することがある。例えば特許文献１には、このような鞄用カバーが開示されている。この鞄用カバーは、鞄に被せることにより、該カバーの有する防水性で、鞄が濡れることを防止し、かつ雨天時に、鞄のハンドルが防水カバーによって被われてしまうことなく、鞄を手に提げたりすることを可能にすることを意図している。
【０００３】
一方、雨天時には傘の携帯が必須になることが多く、屋外では、片手で鞄を保持し、他方の手で傘をさして歩行することになる。これに対し、屋内や、電車やバスなどの乗車時には、鞄の保持は必要であるが、傘をさすことは不要になり、傘は邪魔でしかない。従って、屋内や、電車やバスなどの乗車時に、使用者が積極的に傘を保持する行為を行わず、特に意図せずに自然に携帯できれば非常に便利である。更に電車の着席時には、鞄は膝の上に載せることで保持できるが、傘は通常手で保持していて、傘の保持形態が一定しないと、体が接触するほど近接している隣りの乗客や前方に立っている他の乗客に濡れた傘が接して、迷惑が及ぶことがある。
【０００４】
このような従来技術の欠点を解消し、鞄に傘を保持できる考案が、特許文献２に提案されている。この考案は、雨傘保持ベルトを、マジックテープ（登録商標)(以下、面接着ファスナーという)で、鞄の底に固定し、この雨傘保持ベルトと鞄の底の間に雨傘を挿入保持し、バスや電車の座席に着席すると、鞄の側面が使用者の膝の上に接触し、従って鞄の底が上下方向を向き、鞄の底面と前記雨傘保持ベルト間に雨傘を上下方向に向けて保持できる。
【０００５】
しかし前記特許文献２記載の考案では、雨傘保持ベルトを、面接着ファスナー等で、鞄の底に固定しているが、鞄の底は平滑でないことが多く、この平滑でない鞄の底に、雨傘保持ベルトを固定することは簡単ではない。
【０００６】
例えばアタッシュケースの底には、ヒンジやポイント状の突起が形成されている。ビジネス用の鞄では、収容物が少ないときに厚さが薄くできるように、鞄の底に、逆Ｖ字状の溝が形成されていて殆ど平滑面が存在しない。ショルダーバッグは、通常底面が定形でなく、雨傘保持ベルトを固定するには適していない。しかも、雨傘保持ベルトを使用するのは雨天時であり、鞄の底面も濡れていて、十分な強度で固定できないことが多い。
【０００７】
従って面接着ファスナーを使用して、雨傘保持ベルトを各種鞄の底面に固定できたとしても、雨傘保持ベルトが鞄の底面に確実に固定されるとは限らず、雨傘の保持が不十分になると、雨傘が傾いたり、雨傘保持ベルトから脱落して、周囲に迷惑を及ぼすことがある。
【先行技術文献】
【特許文献】
【０００８】
【特許文献１】登録実用新案第３１３７３１４号公報
【特許文献２】実開平６−６４５１９号公報
【考案の開示】
【考案が解決しようとする課題】
【０００９】
本考案は、前記従来技術の欠点を解消し、雨天時に、所持する鞄の防水と、持参している雨傘の保持を同時かつ確実に行える鞄用防水カバーを提供することを目的とする。
【課題を解決するための手段】
【００１０】
本考案は、鞄を被う、防水材料製の鞄用防水カバーであって、当該カバーの底部及び／又は側部に、雨傘保持部材を形成し、かつ上部に鞄の把持部用の開口を有することを特徴とする雨傘保持兼用鞄用防水カバーである。本考案では、前記把持部用の開口の代わりに、把持部を覆う袋体を形成しても良い。
【考案の効果】
【００１１】
本考案では、鞄用防水カバーに、雨傘保持部材が形成してあるため、雨天時などに、この防水カバーを鞄に被せると、自動的に雨傘保持部材が、鞄と一体不可分に構成される。従って雨天時の鞄の防水的保護と、雨天時に携帯することの多い雨傘の保持の両機能を、前記防水カバーに具備させてあり、単一の物品である鞄用防水カバーを、鞄に被せるという単一の操作で、鞄の防水と雨傘の保持という両機能を実現できる。
【図面の簡単な説明】
【００１２】
【図１】(ａ)は、本考案の第１実施態様である鞄用防水カバーを装着した鞄の斜視図で、(ｂ)は、図１ａのＡ−Ａ線横断平面図である。
【図２】図１ａの鞄用防水カバーを装着した鞄を下方から見た一部破断斜視図である。
【図３】図１ａ、ｂ及び図２の鞄用防水カバーを装着した鞄を保持して車両の座席に座った状態を示す側面図である。
【図４】(ａ)は、本考案の第２実施態様である鞄用防水カバーを装着した鞄の斜視図で、(ｂ)は、図４ａのＢ−Ｂ線縦断側面図である。
【考案を実施するための形態】
【００１３】
図１ａから図３は、本考案の第１実施態様を示す。
図１ａに示すように、鞄１１は、鞄本体１２の上面部中央に１本のハンドル状の把持部１３を設置して構成されている。この鞄１１は、例えばビジネス用バッグであり、底面に前後１対の逆Ｖ字状の凹部１４が形成されている。
【００１４】
鞄用防水カバー１５は、鞄１１の前面部（図１ａの左側後部）、左右両側面部、上下両面部及び背面側の周縁部を覆い、雨天時に少なくとも被覆部分が雨滴から保護されるようになっている。前記鞄用防水カバー１５には前記背面側周縁部に対応する開口部１６が形成され、当該開口部１６に相当する鞄用防水カバー１５の周縁部は折り返されている。この折返し部１７内の空間に、環状のゴム製補強材１８が収容されて、当該ゴム製補強材１８が内向きにかつ鞄表面側に付勢されることにより、前記鞄用防水カバー１５から鞄１１が離脱することを防止している。
【００１５】
前記鞄用防水カバー１５の上面部中央には通孔１９が設けられ、この通孔１９を、前記把持部１３が貫通して、上側から把持できるようになっている。前記通孔１９の前側縁部には、長方形状の防水布２０の基端部（図２参照）が縫製などによって固定され、当該防水布２０の先端側内側には、防水布用面接着ファスナー２１が一体化されている。前記通孔１９の背面側縁部には、前記防水布用面接着ファスナー２１に対応するように、防水カバー用面接着ファスナー２２が縫製等により一体化されている。
【００１６】
図１ａに想像線で示すように、防水布２０を上向きに広げて、鞄の把持部１３を前記通孔１９を通過させた後、防水布２０を把持部１３内の空間を通過させて、当該防水布２０の防水布用面接着ファスナー２１を、防水カバー用面接着ファスナー２２に係止させて、前記通孔１９を前記防水布２０で覆って、当該通孔１９内への雨水の侵入量を最小限とする。
【００１７】
図２に示すように、前記鞄用防水カバー１５の下面には、防水カバー面接着ファスナー２３が縫製や接着により一体化され、この防水カバー面接着ファスナー２３の一端には、当該防水カバー面接着ファスナー２３と同形の傘保持用面接着ファスナー２４の一端が縫製等により止着されている。両面接着ファスナー２３及び２４は雨傘保持部材として機能する。
【００１８】
前記鞄用防水カバー１５の側面には、歩行時用防水カバー面接着ファスナー２５が縫製や接着により一体化され、この歩行時用防水カバー面接着ファスナー２５の一端には、当該面接着ファスナー２５と同形の歩行時傘保持用面接着ファスナー２６の一端が縫製等により止着されている。両面接着ファスナー２５及び２６は雨傘保持部材として機能する。前記鞄用防水カバー１５の上面（図２）には、ポケット２７がその両側及び下側を縫製して一体形成されている。
【００１９】
図１ａ、ｂ及び図２に示した鞄用防水カバー１５で覆った鞄１１を、雨天時に保持すると、鞄１１の大部分が前記カバー１５で覆われているため、屋外歩行時に鞄１１が保護される。
【００２０】
更に、この鞄１１を保持したまま、電車やバスに乗り、座席２８に座る際には、前記鞄用防水カバー１５の防水カバー面接着ファスナー２３と傘保持用面接着ファスナー２４を一部剥離させて、それにより形成される空間に、傘２９を挿入する（図３参照）。挿入された傘２９は、両面接着ファスナー２３、２４間に自動的に保持され、鞄の保有者が傘を保持する必要がない。そのため、鞄の保有者は手が自由になり、読書やパソコン操作などを傘の存在に煩わされずに行うことができる。
【００２１】
図示の例でも、傘保持用の両面接着ファスナー２３、２４が、鞄用防水カバー１５に一体的に形成されているため、鞄用防水カバー１５を鞄１１に装着するのみで、自動的に傘保持機能が前記鞄用防水カバー１５に付与される。更に本実施態様のように、鞄１１に底面に逆Ｖ字溝が形成されていて、鞄自体に傘保持部を形成しかつそれを維持することが困難な場合でも、傘保持機能が鞄用防水カバーに付与されているため、容易かつ確実に傘を保持できる。
【００２２】
更に本実施態様では、図示の通り、鞄用防水カバー１５の側面部に、歩行時用防水カバー面接着ファスナー２５と歩行時傘保持用面接着ファスナー２６が装着されている。屋内歩行時や雨天後の晴天時などの歩行時に、両面接着ファスナー２５、２６間に傘を挿入すると、着席時と同様に傘が自動的に鞄用防水カバー１５に保持される。
【００２３】
図示の通り、鞄用防水カバー１５には、着席時用の１対の面接着ファスナー（鞄用防水カバーの底面）と歩行時の１対の面接着ファスナー（鞄用防水カバーの側面）の両者を装着することが望ましいが、いずれかのみでも良い。
【００２４】
次いで、傘の保持が必要なくなった際は、鞄用防水カバー１５から傘を離脱させ、鞄１１を鞄用防水カバー１５から取り出す。その後、前記ポケット２７の下側縫製部と鞄用防水カバー１５との接合部分をポケット内部を上向き移動させて、ポケット２７を裏返すことにより、鞄用防水カバー１５全体をポケット２７内に収納できる。鞄用防水カバー１５収納後のポケット２７外面は雨水で濡れていないため、鞄内に収納したり、手で持ち運ぶにも便利である。
【００２５】
図４ａ及び図４ｂは、本考案の第２実施態様を示す。この第２実施態様は、第１実施態様の改良に係わるもので、第１実施態様と同一部材に関しては同一符号を付して説明を省略し、第１実施態様と類似する部材に関しては同一符号に添字ａを付する。図には現れないが、本実施態様でも、雨傘保持部材である面接着ファスナーが鞄用防水カバーの側面及び底面に形成されている。
【００２６】
本考案の第２実施態様では、鞄用防水カバー１５ａの上面部中央に通孔を形成せず、通孔に相当する部分に、上向きの袋体３０を一体的に形成する。この袋体３０のサイズは、前記鞄用防水カバー１５ａを鞄１１ａに装着すると、鞄１１の把持部１３ａが前記袋体３０内に無理なく収容できるサイズにする（図４ａの想像線参照）。
【００２７】
この第２実施態様では、前記鞄用防水カバー１５ａ装着後に、鞄１１ａの把持部１３ａが、完全に前記袋体３０内に収容されて外気に触れないため、鞄１１ａの防水が確実に行える。使用者が鞄１１ａを携帯する際には、使用者の指により、袋体３０の片面が図４ｂに示すように、把持部１３ａと鞄１１ａとの間の空間内に向けて変形し、把持部１３ａを握ることが可能になる。
【符号の説明】
【００２８】
１１、１１ａ  鞄
１２  鞄本体
１３、１３ａ  把持部
１４  凹部
１５、１５ａ  鞄用防水カバー
１６  開口部
１７  折返し部
１８  ゴム製補強材
１９  通孔
２０  防水布
２１、２２  面接着ファスナー
２３、２４、２５、２６  面接着ファスナー（雨傘保持部材）
２７  ポケット
２８  座席
２９  傘
３０  袋体
【図１】
0003165770.tif 000003
【図２】
0003165770.tif 000004
【図３】
0003165770.tif 000005
【図４】
0003165770.tif 000006